(57)【特許請求の範囲】
【請求項１】
交換機から送出されて来るダイヤルイン番号を検出する検出手段と、
上記検出手段が検出したダイヤルイン番号が、予め登録したダイヤルイン番号と一致したときに、回線の接続を切断した後、上記登録したダイヤルイン番号に対応して予め登録された処理を実行する制御手段と、通信する情報を蓄積した蓄積手段とを備え、
上記制御手段は、予め登録された処理として、上記登録したダイヤルイン番号に対応して予め登録された相手先に、上記蓄積手段に蓄積された情報を送信することを特徴とする通信端末装置。
【請求項２】
交換機から送出されて来るダイヤルイン番号を検出する検出手段と、
上記検出手段が検出したダイヤルイン番号が、予め登録したダイヤルイン番号と一致したときに、回線の接続を切断した後、上記登録したダイヤルイン番号に対応して予め登録された処理を実行する制御手段と、通信する情報を蓄積した蓄積手段とを備え、
上記検出手段は、更に、交換機から送出されて来る発信元電話番号を検出するようになっており、上記制御手段は、予め登録された処理として、検出した発信元電話番号の発信元に、上記蓄積手段に蓄積された情報を送信することを特徴とする通信端末装置。
【発明の詳細な説明】
【０００１】
【発明の属する技術分野】
本発明は、ダイヤルインサービスを有効に利用したファクシミリ装置などの通信端末装置に関する。
【０００２】
【従来の技術】
従来から、企業などでは構内交換機（ＰＢＸ）を設置して、ダイヤルインサービスを利用しているが、現在では、ダイヤルイン処理回路を組み込んだファクシミリ装置も開発されており、このファクシミリ装置に複数の電話機を接続して、ファクシミリ装置自身と電話機の各々に、異なる電話番号が割り当てられるようになっている。
【０００３】
また、最近では、通信前情報通知サービスの１つとして、モデムダイヤルインサービスが運用されており、このサービスを利用すれば、呼出信号を受ける前にダイヤルイン番号が判るので、呼出信号を受けたときには、直接、指定された電話機などを呼び出すことが出来るようになっている。
図６は、このサービスの基本動作を示す図である。なお、図中の▲１▼〜▲９▼は、各動作に対して割り付けられた番号であり、情報受信端末とは、このサービスを利用できる電話機やファクシミリ装置などの通信端末装置を指している。
【０００４】
加入者線交換機は、他の通信端末装置から、予めサービス契約がされた情報受信端末に対する発信があったときに、受信端末側の回線である加入者線Ｌ１，Ｌ２（電話回線）の極性を反転し（▲１▼）、情報受信端末起動信号を送出する（▲２▼）。これに対し受信端末側は、ダイヤルイン番号等の情報（以下「情報等」という）の受信が可能な状態になると、端末内の直流回路を閉じて（直流ループ閉結）、一次応答信号を送出する（▲３▼）。交換機側は、直流抵抗値から一次応答信号を判断すると、モデム信号で情報等を受信端末側に送信する（▲４▼）。受信端末側は、情報等のモデム信号を受信すると、直流回路を開く（直流ループ開放）ことによって受信完了信号を送出し（▲５▼）、交換機側は、情報等の信号を送出してから時間ｔ内に受信完了信号を受けると、呼出信号を送出する（▲６▼）。
【０００５】
このとき、情報受信端末では、予めダイヤルイン番号を検出しているので、その番号が割り当てられた電話機などと、前もって回線を接続しており、直接、呼出音を鳴動させてユーザに応答を促している。
これに対して、電話機がハンドセットを取り上げるなどで応答すると、情報受信端末は、これを検出して、再度、直流回路を閉じて（直流ループ閉結）、二次応答信号を送出し（▲７▼）、その後、極性が復極されると、応答した電話機と発信元との間で通話ができるようになる（▲８▼，▲９▼）。
【０００６】
なお、モデム信号で送出される情報等には、ダイヤルイン番号（着番号情報）以外に、ナンバーディスプレイサービスの発信元電話番号などが含まれる。ナンバーディスプレイサービスでは、発信元電話番号以外に、発信元電話番号が通知できない場合はその理由が通知される。例えば、その理由には、電話番号入力前の操作（「１８４」をダイヤル）等による非通知指定をしたこと、公衆電話からの発信したこと等がある。
【０００７】
【発明が解決しようとする課題】
ところが、上記従来のダイヤルインサービスを利用した通信端末装置では、遠隔の他の装置から、この装置の機能設定が変更される場合、一旦回線を接続して、その後に送出されて来る信号の内容に従う必要があり、遠隔の装置側では、必ず通信料金がかかっていた。
【０００８】
例えば、この装置がファクシミリ装置である場合、待機モードを電話待機モードからファクシミリ受信待機モードに変更するときには、外出先の電話機などから電話をかけ、トーン信号を送出するなどの操作が必要であった。
また、遠隔の他の装置では、この装置のメモリに蓄積されている画像データを取り出す場合（このような機能を「リモート受信」という。）も、一旦回線を接続する必要があるので、通信料金がかかることには変わりがなかった。
【０００９】
本発明は、このような事情に鑑みてなされたものであり、ダイヤルインサービスを利用することにより、回線を接続する前に、ダイヤルイン番号に応じた処理を実行するようにして、発信元に通信料金を負担させないようにした通信端末装置を提供することを目的としている。
【００１０】
【課題を解決するための手段】
上記目的を達成するために、本発明の請求項１に記載の通信端末装置は、交換機から送出されて来るダイヤルイン番号を検出する検出手段と、上記検出手段が検出したダイヤルイン番号が、予め登録したダイヤルイン番号と一致したときに、回線の接続を切断した後、上記登録したダイヤルイン番号に対応して予め登録された処理を実行する制御手段と、通信する情報を蓄積した蓄積手段とを備え、上記制御手段は、予め登録された処理として、上記登録したダイヤルイン番号に対応して予め登録された相手先に、上記蓄積手段に蓄積された情報を送信することを特徴とする。
【００１１】
この通信端末装置は、呼出信号が送出されて来る前に、ダイヤルイン番号を検出するモデムダイヤルインサービスを利用する場合以外に、呼出信号の後に送出されて来るダイヤルイン番号を基に、指定された電話機などに内線呼出信号を送出する、従来のダイヤルインサービスを利用する場合にも適用できる。このため、予めこれらのサービスの契約を結び、各サービスに対応した機能を備えておく必要がある。
【００１２】
この通信端末装置では、予め登録された処理を実行する前に、回線の接続を切断しているので、この装置自身や接続された電話機などは、呼出に対して応答することがなく、発信元に通信料金を負担させることがない。
また、これによって、遠隔から、この通信端末装置のダイヤルイン番号に電話をかけるだけで、他の通信端末装置に蓄積情報を送信させることができる。
【００１３】
請求項２に記載の通信端末装置は、交換機から送出されて来るダイヤルイン番号を検出する検出手段と、上記検出手段が検出したダイヤルイン番号が、予め登録したダイヤルイン番号と一致したときに、回線の接続を切断した後、上記登録したダイヤルイン番号に対応して予め登録された処理を実行する制御手段と、通信する情報を蓄積した蓄積手段とを備え、上記検出手段は、更に、交換機から送出されて来る発信元電話番号を検出するようになっており、上記制御手段は、予め登録された処理として、検出した発信元電話番号の発信元に、上記蓄積手段に蓄積された情報を送信することを特徴とする。
ここでは、呼出信号の前に送出されて来る発信元電話番号を検出するため、ナンバーディスプレイサービスについても契約しておく必要があり、また、呼出信号の前にダイヤルイン番号を検出する必要があるため、ダイヤルインサービスは、モデムダイヤルインサービスに限定される。このように、通信前情報通知サービスとして、複数のサービスを契約した場合、交換機からは、同時に複数のサービスに対する情報を送出されて来る（図６の図面中の丸付き数字４参照）。
【００１４】
この通信端末装置では、検出したダイヤルイン番号が、予め登録したダイヤルイン番号と一致したときに、回線の接続を切断した後、検出した発信元電話番号に蓄積情報を送信するので、発信元では、リモート受信が通信料金を負担することなく実行できる。
【００１５】
【発明の実施の形態】
以下に、本発明の実施の形態について、図面とともに説明する。
図１は、通信端末装置の構成の一例を示したブロック図である。ここには、通信端末装置としてファクシミリ装置Ｆの構成を示しているが、本発明はこれには限定されず、ダイヤルイン機能を備えた装置であればよく、例えば、複数の電話機などを接続し、交換接続機能を備えた電話機や、通信機能付きのパーソナルコンピュータなどであってもよい。
【００１６】
以下には、ダイヤルイン機能として、図６とともに説明したモデムダイヤルインサービスの対応機能を備えている場合を説明する。
図において、１はＣＰＵ等で制御手段を構成し、以下の各部を制御する主制御部、２は電話回線Ｌにダイヤル信号を送出し、電話回線Ｌの閉結、開放を制御し、更に、極性反転の検出機能をも備えたＮＣＵ、３はファクシミリ通信を行うために信号の変調と復調を行うモデム、４は符号化した画像データを蓄積する画像メモリ、５はこの装置Ｆの制御に必要な各種データを記憶するためのＲＡＭ、６は制御プログラムなどを予め記憶したＲＯＭ、７は液晶画面やＬＥＤランプなどで構成された表示部、８は各種スイッチなどで構成された操作部、９はセットされた原稿から画像データを読み取る読取部、１０はファクシミリ受信した画像や、読取部９から読み取った画像を、予めセットされた記録紙に印字出力する記録部、１１は複数（ｎ台）の電話機Ｔ１〜Ｔｎなどの通信端末装置を接続し、ダイヤルイン番号に基づいて、電話回線Ｌの接続を、このファクシミリ装置Ｆ自身、あるいは、複数の電話機Ｔ１〜Ｔｎのいずれかに切換制御するダイヤルイン処理部である。
【００１７】
このファクシミリ装置Ｆは、読取部９で読み取った原稿の画像を、符号化した後、一旦画像メモリ４に蓄積し、順次読み出して、モデム３、ＮＣＵ２を介してファクシミリ送信を行うとともに、他の通信端末装置から電話回線Ｌを通じてファクシミリ受信した画像データを、順次、画像メモリ４に蓄積し、読み出しながら復号して、記録部１０によって記録する基本動作を行っている。
【００１８】
また、予め、蓄積手段を構成する画像メモリ４に、読取部９から読み取った画像などを蓄積させておけば、電話回線Ｌを通じた他の装置からのリモート送信要求に対し、画像メモリ４内の画像を送信する機能（リモート送信機能）も備えている。
更に、このファクシミリ装置Ｆは、図６とともに説明したモデムダイヤルインサービスの機能を、主制御部１とＮＣＵ２とモデム３が果たすようになっており、これらによってダイヤルイン番号の検出手段を構成している。なお、この手段は、ファクシミリ装置Ｆに内蔵することには限定されず、アダプタとして外付けするようにしてもよい。
【００１９】
主制御部１は、交換機から電話回線Ｌを通じて送出されて来るダイヤルイン番号を検出したときは、この番号を基に、ダイヤルイン処理部１１によって、この装置Ｆ自身あるいは電話機Ｔ１〜Ｔｎのいずれかを、電話回線Ｌに接続する。そして、呼出信号が送出されて来たときに、この呼出信号に対して、ファクシミリ装置Ｆや電話機Ｔ１〜Ｔｎが、自動着信やハンドセットの取り上げ等で応答すれば、ファクシミリ通信や通話を開始する。
【００２０】
また、主制御部１は、交換機から送出されて来るダイヤルイン番号を検出して、この検出したダイヤルイン番号が、予め登録したダイヤルイン番号と一致したときには、ダイヤルイン処理部１１による接続切換は行わず、回線Ｌの接続を切断して呼出信号を受けないようにした後、その登録したダイヤルイン番号に対応して予め登録された処理を実行する。
【００２１】
ここに、予め登録された処理には、待機モードの変更やその他この装置Ｆに対する機能設定の他、リモート送信などがあり、予め、ＲＡＭ５にその処理内容が設定登録されている。主制御部１は、ダイヤルイン番号を検出したときに、ＲＡＭ５を参照して、処理の実行を判断する。
例えば、このファクシミリ装置Ｆに付属電話機を備えている場合であって、外出時に、待機モードを電話待機モードからファクシミリ受信待機モードに切り替えることを忘れていたとしても、この装置Ｆでは、予め定められた外出先（勤務先など）から電話をかけるだけで、待機モードの切り替えが遠隔操作できることになる。したがって、従来のように、トーン信号を送出するための操作などが必要なくなる。また、呼び出す前（呼出信号の送出前）に、回線Ｌが切断されるので、通信料金の負担がない。
【００２２】
また、主制御部１は、ダイヤルイン番号を検出すると、予め登録された処理として、その検出した番号と一致し、登録しているダイヤルイン番号に対応して予め登録された相手先に、画像メモリ４に蓄積された情報を送信することもできる。これによって、遠隔から、このファクシミリ装置Ｆに発信するだけで、他の通信端末装置に対するメモリ送信を指示できる。
【００２３】
更に、リモート送信をする場合、このファクシミリ装置Ｆは、ナンバーディスプレイサービスの契約もして、呼出信号の前に送出されて来る発信元電話番号を検出する。通信前情報通知サービスとして、モデムダイヤルインサービスとナンバーディスプレイサービスとを契約している場合は、交換機から、モデム信号によって、情報等として、ダイヤルイン番号と発信元電話番号とが同時に送出されて来る（図６の▲４▼参照）。したがって、主制御部１とＮＣＵ２とモデム３は、発信元電話番号の検出手段も構成することになる。
【００２４】
主制御部１は、ダイヤルイン番号を検出し、この検出したダイヤルイン番号が、予め登録したダイヤルイン番号と一致したときに、回線Ｌの接続を切断した後、ダイヤルイン番号と同時に検出した発信元電話番号を呼び出して、画像メモリ４に蓄積された情報を送信する。これによって、発信元では、リモート受信が通信料金を負担することなく実行できる。
【００２５】
図２には、上記したファクシミリ装置Ｆの動作をフローチャート（ステップ１００〜１０９）で示している。なお、ここでは、予め登録している処理を実行する機能をマクロ機能と呼んでおり、更に、ダイヤルイン番号とともに発信元電話番号を検出する（１０２）。
ファクシミリ装置Ｆは、情報受信端末起動信号（図６の▲２▼）を受信すると（１００）、一次応答信号（図６の▲３▼）を送出して（１０１）、ダイヤルイン番号と発信元電話番号（情報等）（図６の▲４▼）を検出する（１０２）。この検出したダイヤルイン番号がマクロ機能用かを判断し（１０３）、マクロ機能用ではない番号の場合は、通常のモデムダイヤルインサービスの動作に従って、受信完了信号（図６の▲５▼）を送出し（１０４）、ダイヤルイン番号に対応したファクシミリ装置Ｆ自身あるいは電話機Ｔ１〜Ｔｎのいずれかを接続して、呼出信号（図６の▲６▼）を受ける（１０５）。これに対して、ファクシミリ装置Ｆ自身（ＮＣＵ２）や電話機Ｔ１〜Ｔｎで着信すれば（１０６）、図６に示したように、通信、通話が開始できる。
【００２６】
一方、検出したダイヤルイン番号がマクロ機能用であれば、ダイヤルイン番号の検出から所定時間ｔ（例えば２秒）を待った後（１０７）、モデムダイヤルインサービスの動作を中止し、直流ループを断する（１０８）。この所定時間ｔは、交換機側の受信完了信号の待ち時間であり、交換機では、この時間ｔの間に受信完了信号を検出しなければ、回線Ｌの切断動作に移行し、図６の▲６▼以降の手順を実行しない。
【００２７】
ファクシミリ装置Ｆ側は、この時間ｔが経過した後に、直流ループを断しているので（１０８）、交換機側は、これを受信完了信号と判断することがない。なお、ここでは、ナンバーディスプレイサービスとも契約している場合であるので、交換機における受信完了信号の待ち時間が、両サービスで異なる場合は、長い方の時間が経過した後に、直流ループを断する必要がある。そして、直流ループを断した後は、ダイヤルイン番号に対応して登録されているマクロ機能を実行する（１０９）。
【００２８】
次に、ダイヤルイン番号がマクロ機能用か否かを判断（図２の１０３）する方法について、図３とともに説明する。図３（ａ），（ｂ），（ｃ）は、各々、予めＲＡＭ５に記憶されているテーブル５１，５２，５３の構成例である。
図３（ａ）に示したマクロテーブル５１には、マクロ機能用のダイヤルイン番号が登録されており、ここに格納されている番号と同じダイヤルイン番号を検出すると、予め対応して指定されたマクロ機能を実行する。
【００２９】
このテーブル５１を使用すれば、ここに登録されている番号に対して発信があったときにのみ、画像メモリ４に蓄積している画像データを送信（リモート送信）したり、受信モードを変更することができる。また、ここでは、画像送信として、発信元に送信する場合や、同報送信の場合も登録できるようになっている。
なお、リモート送信を登録する場合は、ダイヤルイン番号に対応させて、送信する画像データを格納した、画像メモリ４内のボックス番号を登録しておくようにしてもよい。
【００３０】
図３（ｂ）に示した送信先番号テーブル５２には、送信先電話番号が登録されている。（ａ）のマクロテーブル５１には、ダイヤルイン番号「００１」に対応して「画像送信」が登録されているので、この番号を検出したときに、送信先番号テーブル５２に登録されている電話番号に対し、画像メモリ４に蓄積された画像データを送信する。なお、マクロテーブル５１のマクロ機能指定に「画像送信」を複数登録できるようにした場合は、送信先番号テーブル５２に、その指定をするダイヤルイン番号の各々に対応させて、送信先電話番号を登録するようにしてもよい。
【００３１】
図３（ｃ）に示した同報送信先番号テーブル５３には、同報用の送信先電話番号が複数登録されている。（ａ）のマクロテーブル５１には、ダイヤルイン番号「００３」に対応して「画像送信（同報）」が登録されているので、この番号を検出したときに、同報送信先番号テーブル５３に登録されている電話番号の各々に対し、画像メモリ４に蓄積された画像データを順次送信する。なお、マクロテーブル５１のマクロ機能指定に「画像送信（同報）」が複数登録できるようにした場合は、同報送信先番号テーブル５３に、その指定をするダイヤルイン番号の各々に対応させて、同報送信先電話番号を複数ずつ登録するようにしてもよい。
【００３２】
次に、図４には、図３に示したテーブル５１〜５３を使用してマクロ機能を実行するときの動作をフローチャート（ステップ２００〜２０９）で示している。
検出したダイヤルイン番号がマクロ機能用であり（マクロテーブル５１に登録）、マクロ機能を実行するときには（図２の１０９）、マクロテーブル５１からダイヤルイン番号に対応したマクロ機能指定を参照する（２００）。
【００３３】
その指定が画像送信であって（２０１のＹ）、同報送信でない個別送信であり（２０２のＮ）、発信元への送信であるときは（２０３のＹ）、画像メモリ４内の画像を発信元電話番号に対して送信し（２０４）、発信元への送信でないときは（２０３のＮ）、画像メモリ４内の画像を送信先番号テーブル５２の電話番号に対して送信する（２０５）。また、同報送信であるときは（２０２のＹ）、画像メモリ４内の画像を同報送信先番号テーブル５３の電話番号に対して順次送信する（２０６）。
【００３４】
なお、以上には、画像送信する相手先を、電話番号とする例を示したが、本発明はこれには限定されず、相手先の指定を電子メールのアドレスとしてもよい。この場合は、プロバイダに発呼し、送信先番号テーブル５２あるいは同報送信先テーブル５３に登録されたメールアドレスや、情報等（図６の▲４▼）に含まれる発信元のメールアドレスに対し、画像メモリ４内のデータをメールとして送信することになる。
【００３５】
また、マクロ機能指定が画像送信でないときは（２０１のＮ）、その指定は受信モードの変更であるので、現在の受信モードを参照し（２０７）、現在の受信モードが在宅モードであれば不在モードに設定し（２０８）、不在モードであれば在宅モードに設定する（２０９）。なお、通常、在宅モードではダイヤルイン機能を実行し、不在モードではファクシミリ受信あるいは留守番電話機能を実行する。
【００３６】
以上には、ダイヤルイン機能として、呼出信号が送出されて来る前に、ダイヤルイン番号を検出するモデムダイヤルインサービスを利用する場合について説明したが、本発明は、呼出信号の後に送出されて来るダイヤルイン番号を基に、指定された電話機などに内線呼出信号を送出する、従来のダイヤルインサービスを利用する場合にも適用できる。
【００３７】
図５は、このサービスの基本動作を示す図である。ここでは、ダイヤルイン機能を有した通信端末装置が、図１に示した構成のファクシミリ装置Ｆである場合について説明する。なお、図中の▲１▼〜▲８▼は、各動作に対して割り付けられた番号である。
加入者線交換機は、他の通信端末装置から、予めサービス契約がされた装置Ｆに対する発信があったときに、加入者線Ｌ１，Ｌ２（電話回線Ｌ）の極性を反転し（▲１▼）、呼出信号を送出する（▲２▼）。これに対して装置Ｆ側は、内線指定信号（ダイヤルイン番号）の受信が可能な状態になると、装置Ｆ内の直流回路を閉じて（直流ループ閉結）、一次応答信号を送出する（▲３▼）。交換機側は、直流抵抗値から一次応答信号を判断すると、ＰＢ信号（プッシュボタン信号）で内線指定信号を装置Ｆ側に送信する（▲４▼）。装置Ｆ側は、ＰＢ信号を受信すると、直流回路を開く（直流ループ開放）ことによって内線指定受信完了信号を送出するが（▲５▼）、これとともに、ＰＢ信号を解読して、指定されている内線番号が割り当てられている、装置Ｆ自身あるいは電話機Ｔ１〜Ｔｎを回線Ｌに接続して、内線呼出信号を送出し、呼出音を鳴動させ、ユーザに応答を促す。一方、交換機側は、内線指定信号を送出してから時間ｔ１（例えば２秒）内に内線指定受信完了信号を受けると、発信側に呼出音を送出する。
【００３８】
ファクシミリ装置Ｆでは、呼び出された装置Ｆ自身あるいは電話機Ｔ１〜Ｔｎの応答を検知すると、再度、直流回路を閉じて（直流ループ閉結）、二次応答信号を送出し（▲６▼）、その後、極性が復極されて、応答したファクシミリ装置Ｆや電話機Ｔ１〜Ｔｎと、発信元との間で、通信あるいは通話ができるようになる（▲７▼，▲８▼）。
【００３９】
以上のような機能を果たすため、ファクシミリ装置Ｆのダイヤルイン処理部１１には、回線Ｌに対する接続を切換制御する以外に、ＰＢ信号の検出手段や内線呼出信号を生成する手段を備えている。
主制御部１は、交換機から送出されて来る内線指定信号（ダイヤルイン番号）を検出して、この検出したダイヤルイン番号が、予め登録したダイヤルイン番号と一致したときには、モデムダイヤルインサービスの場合と同様に、ダイヤルイン処理部１１による接続切換は行わず、時間ｔ１の経過後に回線Ｌの接続を切断した後、その登録したダイヤルイン番号に対応して予め登録された処理を実行する。
【００４０】
予め登録された処理としては、検出したダイヤルイン番号と一致し、予め登録されているダイヤルイン番号に対応して登録された相手先に、画像メモリ４に蓄積された画像を送信することができる。なお、ナンバーディスプレイサービスの機能を備えていなければ、モデム信号による発信元電話番号を検出することができないが、ダイヤルイン番号に対応させた相手先として、予め発信元電話番号を登録しておけば、その発信元に対して、画像メモリ４に蓄積された画像を送信することができる。
【００４１】
【発明の効果】
以上の説明からも理解できるように、本発明の請求項１及び請求項２に記載の通信端末装置は、交換機から送出されて来るダイヤルイン番号が、予め登録したダイヤルイン番号と一致したときには、そのダイヤルイン番号に対応して予め登録された処理を自動的に実行する。したがって、発信元は、この装置の所定のダイヤルイン番号に対して発信するだけで、この装置を遠隔操作することができる。また、応答する前に回線を切断して、予め登録された処理を実行するので、発信元では通信料金を負担することがない。
【００４２】
特に、請求項１では、検出したダイヤルイン番号が、予め登録したダイヤルイン番号と一致したときには、そのダイヤルイン番号に対応して登録された相手先に、予め蓄積されている情報を送信するので、発信元では、通信料金を負担しなくても、他の通信端末装置に対するリモート送信を指示することができる。また、請求項２では、検出したダイヤルイン番号が、予め登録したダイヤルイン番号と一致したときには、更に検出した発信元電話番号に対して、予め蓄積されている情報を送信するので、発信元では、通信料金を負担しなくてもリモート受信を実行することができる。
【図面の簡単な説明】
【図１】本発明の通信端末装置の構成の一例を示すブロック図である。
【図２】本発明の通信端末装置の基本動作の一例を示すフローチャートである。
【図３】本発明の通信端末装置に設けられた各種テーブルの構成の例を示す図である。
【図４】本発明の通信端末装置の動作の一例を示すフローチャートである（マクロ機能）。
【図５】ダイヤルインサービスの基本動作を示す図である。
【図６】モデムダイヤルインサービスの基本動作を示す図である。
【符号の説明】
Ｆ・・・ファクシミリ装置
１・・・主制御部
２・・・ＮＣＵ
３・・・モデム
４・・・画像メモリ
５・・・ＲＡＭ
１１・・・ダイヤルイン処理部
５１・・・マクロテーブル
５２・・・送信先番号テーブル
５３・・・同報送信先番号テーブル
Ｔ１〜Ｔｎ・・・電話機
【図１】
0003837905.tif 000002
【図２】
0003837905.tif 000003
【図３】
0003837905.tif 000004
【図４】
0003837905.tif 000005
【図５】
0003837905.tif 000006
【図６】
0003837905.tif 000007